Podtech/llm-jp-corpus-v4-ja_patent huggingface dataset:
(57)【要約】【課題】筒状部材内部に入っている球体がペダルの回転と共に上下に移動し隙間のあるフタに当たり軽やかな音を発生させ自転車の接近を知らせる自転車接近報知ベルを提供する。【解決手段】長さのある薄い金属性素材の外周にゴムチューブを巻き装着した中空筒状部材を設け、筒状部材の内部に硬い球体をころがし設け、筒状部材の左右開口部に一部分だけ筒状部材と接合する隙間を保つフタを設け、筒状部材をペダルアームに装着する筒状部材保持バンドを設け、自転車接近報知ベルをペダルアーム装着した。以上を特徴とする自転車接近報知ベル【選択図】図４
2016222222.tif 000002
【特許請求の範囲】
【請求項１】
長さのある薄い金属性素材の外周にゴムチューブを巻き装着した中空筒状部材を設け、筒状部材の内部に硬い球体をころがし設け、筒状部材の左右開口部に一部分だけ筒状部材と接合する隙間を保つフタを設け、筒状部材をペダルアームに装着する筒状部材保持バンドを設け、自転車接近報知ベルをペダルアーム装着したことを特徴とする自転車接近報知ベル。
【発明の詳細な説明】
【技術分野】
【０００１】本発明は、自転車が背後から来ることを歩行者等に知らせる自転車の安全に関するものである。
【背景技術】
【０００２】従来、自転車の性能の向上により静かになり背後から自転車が来ることを察知しずらくなった。
【発明の概要】
【発明が解決しようとする課題】
【０００３】そのために、次のような問題点があった。
（イ）自転車が背後から来ることに歩行者、高齢者が察知しずらくなり自転車との接触事故が発生している。
本発明は、これらの問題点を解決するためになされたものである。
【課題を解決するための手段】
【０００４】長さのある薄い金属性素材の外周にゴムチューブを巻き装着した中空筒状部材を設け、筒状部材の内部に硬い球体をころがし設け、筒状部材の左右開口部に一部分だけ筒状部材と接合する隙間を保つフタを設け、筒状部材をペダルアームに装着する筒状部材保持バンドを設け、自転車接近報知ベルをペダルアーム装着した。
以上を特徴とする自転車接近報知ベルである。
【発明の効果】
【０００５】自転車のペダルアームに装着した筒状部材内の球体がペダルの回転と共に上下に移動し、筒状部材と一部分だけ接合した隙間を保つフタに当たると僅かなフタの振動も加わり軽やかな音が発生し自転車が接近することを歩行者に知らせることができる。ペダルに装着されているためにペダルを逆回転させても軽やかな音を発生させることができ、筒状部材の外周に装着したゴムチューブにより筒状部材内で発生する音を他えの伝導を防止でき軽やかな音を保ことができる。
【図面の簡単な説明】
【０００６】
【図１】  本発明の筒状部材の平面図。
【図２】  本発明の筒状部材保持バンドの側面図。
【図３】  本発明の筒状部材を筒状部材保持バンドに装着しゴム材チューブを左右から中央に捲りよせチューブの盛り上りの山が筒状部材の脱落防止となる使用状態の例を示す平面図。
【図４】  本発明をペダルアームに装着した例を示す使用例図。
【発明を実施するための形態】
【０００７】以下、本発明の実施の形態について説明する。
発生音が他えの伝導を防止するゴムチューブを装着した長さのある薄い金属性素材からなる中空筒状部材（１）を設け、筒状部材（１）の内部に硬い球体（３）を転がし設け、筒状部材の左右開口部に一部分だけ筒状部材と接合するフタ（２）を設け、筒状部材を自転車のペダルアームに装着固定する筒付きの筒状部材保持バンド（４）を設けた。
本発明は以上のような構成である。
これを使用するときは、
筒状部材保持バンド（４）の丸穴に筒状部材（１）を挿入し筒状部材の外周に装着されているゴム材チューブを左右から中央部に捲りよせ山を設け筒状部材（１）の脱落防止用とする。筒状部材保持バンド（４）のバンドでペダルアームを挟み長穴（６）にネジを通し締め付け固定する。ペダルを回転させると筒状部材内部の球体（３）が上下に転がり隙間のあるフタ（２）に当たると軽やかな音が発生し自転車がくることを察知できる。
【符号の説明】
【０００８】１  筒状部材
２  フタ
３  球体
４  筒状部材保持バンド
５  ゴム材チューブ
６  長穴
７  ペダルアーム
８  ゴム材
【図１】
2016222222.tif 000003
【図２】
2016222222.tif 000004
【図３】
2016222222.tif 000005
【図４】
2016222222.tif 000006
(57)【要約】      （修正有）【課題】従来の自動車は運転走行中に視覚障害となるフロントガラスの左右にある、フレーム部位で左右の景色が見えにくく、特に左右に曲がる時には事故を起こすおそれがあった。【解決手段】自動車の運転走行中に視覚障害となるフロントガラス２の左右にある、フレーム部位にディスプレイ１を取り付け、見えない外側左右の景色をカメラで撮影しフレーム部分のディスプレイに投影する事により左右の景色の状態が把握でき、安全運転が可能となる。【選択図】図１
2016222221.tif 000002
【特許請求の範囲】
【請求項１】
自動車運転時にフロントガラスの左右のフレーム部位に走行ディスプレイを取り付け走行ディスプレイの外側左右の景色を投影する装置
【発明の詳細な説明】
【技術分野】
【０００１】本発明は自動車の運転走行中に視覚障害となるフロントガラスの左右にある、フレーム部位にディスプレイを取り付け、見えない外の景色をカメラで撮影しフレーム部分のディスプレイに投影する事により左右の景色の状態が把握でき、安全運転が可能となる様考案するものである。
【技術背景】
【０００２】従来の自動車は運転走行中に視覚障害となるフロントガラスの左右にある、フレーム部位で左右の景色が見えにくい、特に左右に曲がる時には事故を起こす事になる。この事故を起こさない為の前方左右の景色が見える様にディスプレイを取り付けるものである。
【先行技術文献】
【０００３】
【特許文献】
【特許文献】特許出願公開番号  特表２０１４−５３４１０２（Ｐ２０１４−５３４１０２Ａ）
【発明の概要】
【発明が解決しようとする課題】
【０００４】  従来の自動車は運転走行中に視覚障害となるフロントガラスの左右にある、フレーム部位で左右の景色が見えにくい、特に左右に曲がる時には事故を起こす事になる。この事故を起こさない為の前方左右の景色が見える様にディスプレイを取り付けて解決しようとするものである。
【課題を解決するための手段】
【０００５】本発明が解決しようとする走行ディスプレイは自動車の運転走行中に視覚障害となるフロントガラスの左右にある、フレーム部位にディスプレイを取り付け、見えない外側左右の景色をカメラで撮影しフレーム部分のディスプレイに投影する事により左右の景色の状態が把握でき、安全運転が可能となる様に課題を解決するための手段である。
【発明の効果】
【０００６】自動車の運転走行中に視覚障害となるフロントガラスの左右にある、フレーム部位にディスプレイを取り付け、見えない外側左右の景色をカメラで撮りフレーム部分のディスプレイに投影する事により左右の景色の状態が把握でき、安全運転が可能となる発明の効果があるものである。
【図面の簡単な説明】
【０００７】
【図１】自動車運転席の内部図
【発明を実施するための最良の形態】
【０００８】本発明を実施するための最良の形態として自動車メーカーが積極的に走行ディスプレイを取り付けることに依り交通事故を最小限に止めることが出来る。
【実施例】
【０００９】以下、添付図面で実施例を説明する。
図１は自動車運転席の内部図で左右の走行ディスプレイで見えない外の景色をカメラで撮影しフレーム部分のディスプレイに投影する事により外側左右の景色の状態が把握でき、安全運転が可能となる。
【産業上の利用可能性】
【０００１０】自動車の運転走行中に視覚障害となるフロントガラスの左右にある、フレーム部位にディスプレイを取り付け、見えない外の景色をカメラで撮影しフレーム部分のディスプレイに投影する事により左右の景色の状態が把握でき、安全運転が可能となる様考案するもので、これを利用すれば世の中に大きく貢献し利益を生む可能性がある。
【符号の説明】
【０００１１】１    走行ディスプレイ
２    フロントガラス
３    サイド窓ガラス
【図１】
2016222221.tif 000003
(57)【要約】      （修正有）【課題】トラック運転席は座面が高く右サイドミラーに左側前方の側道の白線及びガードレールなどの白い物が映り込み、右サイドミラーで後方確認がしづらかった。視認を確保し安全運行を遂行するための遮蔽板を提供する。【解決手段】運転時右サイドミラー４で後方確認する場合、左側側道の映り込みに対応するには遮蔽板６で遮らなければならない。しかし、遮るには板状の物では普段時には邪魔で、前方視界確保に支障をきたし、使用には難題があった。これを解決するには、前方視界の視認性を確保し尚且つ簡易な操作で後方確認できる、伸縮を特徴とする遮蔽板６がゆうこうである。【選択図】図１
2016222218.tif 000002
【特許請求の範囲】
【請求項１】
自動車サイドミラー映り込み防止伸縮遮蔽板
【発明の詳細な説明】
【技術分野】
【０００１】  この発明はトラック自動車に関する、後方確認サイドミラーの視認性を確保する物である。
【背景技術】
【０００２】  トラックの右側サイドミラーは、右側サイドガラス窓に道路左側の側道の映り込みがあり、後方確認がしづらく、運転者の負担になっていた。
【先行技術文献】
【特許文献】
【０００３】
【発明の概要】
【発明が解決しようとする課題】
【０００４】  トラックの右側サイドミラー視認性確保の為、運転席からサイドミラーを見た時に側道の映り込みを無くすために考案されたものである。
【課題を解決するための手段】
【０００５】  サイドミラー▲４▼の映り込みは、側道の情景が運転席の右側サイドガラス窓▲３▼に反射して起こるもので、側道の情景と右側サイドガラス窓▲３▼の間に遮蔽物▲５▼を置くことにより解決できるものである。
【発明の効果】
【０００６】  従来映り込みは仕方のないものと諦めていましたが、ガラスに張り付ける細い棒状の伸縮する形状の物で、遮蔽する事によりサイドミラーの映り込みは無くなる。しかし、窓に取り付けて前方視界に支障をきたすのでは、運転者に負担かけ事故の原因にもなりかねないので、形状は最小限に抑え、伸ばした時も運転手の視線の方向に伸びるようにすることで、伸縮時どちらでも視認性は変わらず使用できる物である。尚、フロントアーム▲２▼に取り付ければ視認性は従来と変わらず使用出来るものである。
【図面の簡単な説明】
【０００７】
【図１】自動車運転席の斜視図
【図２】本発明の格納時の斜視図
【図３】本発明の使用時の斜視図
【発明を実施するための形態】
【０００８】  以下、本発明を実施するための形態について説明する。
自動車フロントガラス▲１▼又はフロントアーム▲２▼に取り付ける物で、形状は棒状の蛇腹折にした物▲５▼で使用時は広げて遮蔽物▲６▼として使用する物である。
【符号の説明】
【０００９】１    フロントガラス
２    フロントアーム
３    右側サイドガラス窓
４    右側サイドミラー
５    本発明遮蔽板格納時の斜視図
６    本発明遮蔽板使用時の斜視図
【図１】
2016222218.tif 000003
【図２】
2016222218.tif 000004
【図３】
2016222218.tif 000005
【手続補正書】
【提出日】平成27年9月10日(2015.9.10)
【手続補正１】
【補正対象書類名】特許請求の範囲
【補正対象項目名】請求項２
【補正方法】追加
【補正の内容】
【請求項２】
自動車サイドミラー映り込み遮蔽板
【手続補正書】
【提出日】平成27年11月18日(2015.11.18)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
自動車サイドミラー映り込み防止遮蔽板
【請求項２】
自動車サイドミラー映り込み防止伸縮遮蔽板
(57)【要約】      （修正有）【課題】内容液の詰め替えを簡便にし、かつ操作性の良好な詰め替え無用の手押しポンプを提供する。【解決手段】手押しポンプの吸い上げパイプ先端に、詰め替え用袋の口径にあう任意の口部１を設け、吸い上げパイプ２下部に任意の開脚部３を設けたことを特徴とする、詰め替え無用の手押しポンプ。【選択図】図２
2016222339.tif 000002
【特許請求の範囲】
【請求項１】
手押しポンプの吸い上げパイプ先端に、詰め替え用袋の口径と同一のねじ切り付き口部を設け、パイプ下部に、パイプから取り外し可能な開脚部を設けた手押しポンプ。
【発明の詳細な説明】
【技術分野】
【０００１】  本発明は、シャンプーなどの任意のポンプボトルに、詰め替え用袋入りの内容液を補充するための手押しポンプに関するものである。
【背景技術】
【０００２】  従来、任意のポンプボトルに、詰め替え用袋入り商品の内容液を補充するには、取り扱い説明書に従い、詰め替え口をボトルに差し込んで注ぎ入れるか、じょうごを利用していた。
なお、詰め替え用袋からボトルへ詰め替えるじょうごは市販されている。（特許文献１参照）
【先行技術文献】
【特許文献】
【０００３】
【特許文献１】特開２０１２−８２００８号公報
【発明の概要】
【発明が解決しようとする課題】
【０００４】  シャンプーやリンス、ボディーソープ等のポンプボトルに、詰め替え用の袋入り商品を補充する際、従来の方法では詰め替え口をボトルに差し込むがバランスが悪くて倒れたり、じょうごを利用しても粘り気のある液体は流れ落ちにくく、補充後は、じょうごについた液体を洗うことが必要不可欠であった。
また、詰め替え用袋入り商品をポンプボトルに詰め替えずに、そのまま使用し袋内の液体が減ってきた場合、袋が途中で折れ曲がり液体が出にくくかった。
本発明は、以上の問題点を解決するものである。
【課題を解決するための手段】
【０００５】手押しポンプ吸い上げパイプ先端に、詰め替え用袋の口径にあうねじ切り付口部を設け、吸い上げパイプ下部に開脚部を設ける。
以上の構成よりなる、手押しポンプ。
【発明の効果】
【０００６】従来不可能とされていた詰め替えを、本発明により可能にし、内容液のこぼれ、洗うことのわずらわしさや水の無駄もなく、詰め替え用袋は常に垂直の状態を保つのである。
【図面の簡単な説明】
【０００７】
【図１】本発明の詰め替え用袋の口部の斜視図
【図２】本発明の吸い上げポンプの斜視図
【図３】本発明の（組み立て状態）使用状態を示す図
【発明を実施するための形態】
【０００８】  以下、本発明の実施の形態を説明する。
手押しポンプの吸い上げパイプ（２）先端に、詰め替え用袋の口部（４）の径と同一のねじ切り付き口部（１）を設け、吸い上げパイプ下部に、下方向に畳まれた取り外し可能な開脚部（３）を設ける。
本発明は、以上のような構造である。
本発明を使用する時は、
（イ）通常は、下方向に畳まれた脚（３）を袋内に挿入した際、袋内で脚が開きやすいよ      う手のひらなどで四方に広げる。脚は、材質の性質上、開いた状態になる
（ロ）各社の詰め替え用袋の高さに合わせて、手押しポンプの吸い上げパイプ（２）の長      さ調節ができるように切断してもよい。
（ハ）広いた脚を再度畳み（上下方向どちらでも可）、詰め替え用袋の口部（４）に挿入      。
手押しポンプのねじ切り付き口部（１）を回し締めて装着。
（二）手押しポンプを押して内容液を使用するが、詰め替え用袋内の液体が減少しても脚      （３）が袋内で四方に開く起立状態、上下はつっかえ棒状態なので、袋は折れ曲が      ることなく使用できる。また、脚（３）は、袋内で先端が四方に開いた状態のため      、袋下部を傷つけることはない。
【符号の説明】
【０００９】１  ねじ切り付き口部、２  吸い上げパイプ、３  取り外し可能な開脚部、４  詰め替え用袋の口部、５  詰め替え用袋入り商品
【図１】
2016222339.tif 000003
【図２】
2016222339.tif 000004
【図３】
2016222339.tif 000005
(57)【要約】【課題】従来の「オーガニック口紅」では、化学合成物質を使用することなく、淡い色（パステルカラーの発色させることが難しい。このような従来の「オーガニック系の口紅」が有していた問題を改善し、「淡い色（パステルカラー）の発色」と、「化学合成物質ではない天然素材で作られている」という２つの条件を満たす「口紅組成物」提供する。【解決手段】酸化鉄や酸化スズで着色されたマイカに、真珠粉を添加することによって、「天然素材」での「淡い色（パステルカラー）発色」を実現する。【選択図】図１
2016222638.tif 000002
【特許請求の範囲】
【請求項１】
酸化鉄・酸化スズ・カルミンで着色されたマイカと、真珠粉末を配合して成る、口紅組成物。
【発明の詳細な説明】
【技術分野】
【０００１】本発明は、改良された口紅組成物に関する。
【背景技術】
【０００２】オーガニックブームで、化粧品にもオーガニックなどの安全性を求める女性が増えている。特に口紅は、食事と共に摂取してしまう可能性が高く、安全性の高いものを求める女性は多い。そこで、タール系の色素を使用せず、マイカや酸化鉄を色材として使った、いわゆる「オーガニックコスメ」が販売され、支持を得ている。
【発明の概要】
【発明が解決しようとする課題】
【０００３】  以上に述べた、従来の「オーガニック口紅」では、淡い色（パステルカラーの発色が難しく、この問題を改善して作られた口紅は、
「オーガニック」と謳っているにも関わらず、いくつかの化学合成物質を配合しているので、「安全性が高い口紅である」または、
「ナチュラルな口紅である」とは言えない現状となっている。
消費者は、「淡い色（パステルカラー）の発色」を実現するために、口紅の安全性を諦めざるを得ない。
【課題を解決するための手段】
【０００４】  本発明は、このような従来の「オーガニック系の口紅」が有していた問題を改善するものであり、「淡い色（パステルカラー）の発色」と、「化学合成物質ではない天然素材でできた口紅」を両立させることを目指したものである。
【発明の効果】
【０００５】本発明は、「オーガニック系の口紅」が色材として使用している、マイカ・酸化鉄・酸化スズに対し、多重層反射の性質を持つ真珠粉末を添加することによって、白色原料としての強い白色を持つ真珠粉末と色材が混ざり合い、唇に塗布した状態でも、淡い色（パステルカラー）の発色が、鮮明になる。
また、細胞再生促進効果のある真珠粉末を添加することにより、
唇の表面がよりなめらかになり、色材が均一に塗布できるようになることで、さらなる発色の良さが確認できる。
【図面の簡単な説明】
【０００６】
【図１】本発明に係る口紅組成物の真珠粉末による、真珠粉末の多重層反射と、パテルカラー発色の構造図
【図２】真珠粉末の皮膚回復促進効果により均一になった唇表面に均一に並ぶ真珠粉末分子と顔料の分子
【発明を実施するための形態】
【０００７】「ビーカー１」に
ゴールデンホホバオイル・キャスターオイル・モリンガシードオイルに、キャンデリラワックス・みつろうを添加する。
オイルの総量：ワックスの総量（キャンデリラワックス＋みつろう）が、３：１程度が、口紅として適当な硬さを実現できる配合であるといえる。
【０００８】「ビーカー２」
マイカ・酸化鉄等の色材と、真珠粉を入れる。
この真珠粉の添加が、本発明の特徴的な部分である。
マイカ・酸化鉄など色材の総量：真珠粉は、３：１程度がパステルカラーを発色させる目的においては、適当であるといえる。
【０００９】「ビーカー１」を湯煎にかけ、ワックスが溶解したことを確認したら、ビーカー１の内容物を、ビーカー２に注ぐ。
ビーカー２で、オイルと粉体をよく攪拌し、最後に口紅容器に注ぎ込む。
以下、本発明について詳述する。
【実施例】
【００１０】マイカ・酸化鉄など色材の総量：真珠粉の配合率について、
実験の結果は下記の通り。
２：１の場合：発色評価３
４：１の場合：発色評価３
３：１の場合：発色評価５
（評価は５段階評価、１が最低５が最高）
【符号の説明】
【００１１】→  反射光
Ｐ  真珠粉
Ｍ  酸化鉄等で着色したマイカ
【図１】
2016222638.tif 000003
【図２】
2016222638.tif 000004
(57)【要約】【課題】従来の英語などの学習表示機器は、機器を利用するたびに機器を操作しなければならず、煩雑さと、それにともなう学習効果の低下など解決すべき課題がある。【解決手段】課題を解決すべく検討した結果、本体に内蔵されたセンサーにて人体を検知し、検知信号により英会話、英単語、英文、日本語会話、日本語単語、和文を本体に内蔵されたスピーカーまたは文字表示装置から音声出力または文字出力する学習表示機器を製作し、特定の場所に設置することにより、かかる課題が効果的に解決される。【選択図】なし【特許請求の範囲】
【請求項１】
本体に内蔵されたセンサーにて人体を検知し、検知信号により英会話、英単語、英文、日本語会話、日本語単語、和文を本体に内蔵されたスピーカーまたは文字表示装置から音声出力または文字出力する特定の場所に設置される学習表示機器
【請求項２】
センサーとスピーカーまたは文字表示装置は一体型であることを特徴とする請求範囲第１項記載の発明
【請求項３】
センサーとしては赤外線センサー、画像センサー、温度センサーなどであることを特徴とする請求範囲第１項記載の発明
【請求項４】
音声出力または文字出力される言語が英語、日本語以外に中国語、韓国語、スペイン語、フランス語、イタリア語、ドイツ語であることを特徴とする請求範囲第１項記載の発明
【請求項５】
機器が設置される特定の場所がトイレ、浴室、寝室、洗面所であることを特徴とする請求範囲第１項記載の発明
【請求項６】
機器に使用されるメモリーは内蔵型もしくは外部挿入型であることを特徴とする請求範囲第１項記載の発明
【発明の詳細な説明】
【技術分野】
【０００１】本発明は音声または文字の出力表示法およびそれを用いた学習表示機器に関する。
【背景技術】
【０００２】従来の学習表示機器は、機器内に記憶された英会話、英単語、英文、日本語会話、日本語単語、和文などを機器のスイッチを操作することにより音声出力または文字出力するものであった。この場合、機器を利用するたびに機器を操作しなければならず、煩雑であった。煩雑であるがゆえに、機器を利用する頻度が下がり、結局使用する回数が少なくなり、学習効果があがらないとういう欠点があった。
【発明の概要】
【発明が解決しようとする課題】
【０００３】以上述べたように、背景となる従来技術には、機器を利用するたびに機器を操作しなければならず、煩雑さと、それにともなう学習効果の低下など解決すべき課題がある。
【課題を解決するための手段】
【０００４】これら従来技術の課題を解決すべく検討した結果、本体に内蔵されたセンサーにて人体を検知し、検知信号により英会話、英単語、英文、日本語会話、日本語単語、和文を本体に内蔵されたスピーカーまたは文字表示装置から音声出力または文字出力する学習表示機器を製作し、特定の場所に設置することにより、かかる課題が効果的に解決されることを見出した。【０００５】センサーとスピーカーまたは文字表示装置は設置や操作の煩雑さを防ぐ観点から一体が望ましい。【０００６】人体を検知するセンサーとしては、赤外線センサー、画像センサー、温度センサーなどが望ましい。【０００７】音声出力または文字出力される言語は英語、日本語以外に中国語、韓国語、スペイン語、フランス語、イタリア語、ドイツ語などが望ましい。【０００８】機器に使用されるメモリーは内蔵型が望ましいが外部挿入型でもよい。
外部挿入のメモリーはＳＤカードなどが望ましい。【０００９】機器が設置される特定の場所はトイレ、浴室、寝室、洗面所であることが望ましい。【００１０】機器には内蔵タイマーを設置することにより、毎日異なる出力を行うようにすることが望ましい。【００１１】ヒトが離れたときは、センサーにより自動的に本体出力が切れることが望ましい。
【発明の効果】
【００１２】センサーにて人体を検知し、英会話、英単語、英文、日本語会話、日本語単語、和文を音声出力または文字出力する機器の効果としては以下のようなことが考えられる。例えばトイレに設置した場合、ヒトがトイレに入ると、センサーがヒトの入室を検知し、検知信号により自動的に機器が駆動し、例えば英単語を音声で出力し、次いで和訳を音声出力することにより、煩雑な操作を必要とせず、英語の学習ができる。タイマー機能を付加すれば、例えば毎日、異なる質問などの設定も可能である。このような方法および機器を用いることにより、煩雑な操作を必要とせず、ヒトが毎日使用する設備内にて簡易に、例えば英語の学習ができるようになる。幼児などの場合、１年３６５日として、１日１単語、１会話とするなら３６５の単語、会話の学習が可能となる。出力は音声以外には文字出力でもよい。また学習内容は英語以外でもよい。また学習以外にも要所に設置することにより、自動案内、自動照会、自動宣伝、自動説明、要介護者のためのケアスピーチやヒーリングミュージックなどの設定が可能になる。出力内容は本体にメモリーとして設置する以外に、用途ごとの内容を記憶したＳＤカードなどの挿入口を本体に設けることにより、例えば英語学習の場合、幼児向け、小学生向け、ビジネスマン向けなどの選択を可能にすることもできる。
【産業上の利用可能性】
【００１３】本発明により、これまで操作が煩雑であった、例えば英会話の学習機器が、より操作が簡易な学習機器となり、毎日決まった場所での自動学習により、学習効果が飛躍的に向上することが期待できる。
(57)【要約】【課題】従来のネクタイ類では夏季の汗ばむ環境の中での着用は、暑さと蒸れを我慢しなければならず、とても不快であった。従来のネクタイでは不快を軽減するために緩く首周りに着用、ワイシャツ等、首元のボタンを留めずに開いた状態であると正式な社会場面では印象が悪く、季節により環境保護（クールビズ）によりネクタイ着用が出来ない場合もあり不便である。また従来の結びネクタイでの着脱では「締める、緩める」効率が悪く、特に着用の時では紐と同時に動かない繊維部品に「シワ、たごみ」が起こるので不便であった。【解決手段】ネクタイを構成する繊維部品を増やし完成形状を変えた。繊維部品では着脱用の紐（３）がスムーズに動くように、コネクト（２）へステッチ「図６の（Ｃ）」を施し、紐の通路を固定した。【選択図】図１
2016151082.tif 000002
【特許請求の範囲】
【請求項１】
コネクト（２）の上部を支点に本体（１）を跨らせ、センターベルト（４）で固定することを特徴とするネクタイ。
【請求項２】
コネクト（２）では紐（３）の通路固定のためステッチ図６（Ｃ）、紐（３）ではコネクトの「シワたるみ」を防ぎ尚且つ着脱の際の滑らかな稼動を可能とした仕組み（図７）、それらを使うことを特徴とする請求項１記載のネクタイ。
【発明の詳細な説明】
【技術分野】
【０００１】  この発明は、結んだネクタイの容易な着脱と※クールビズファッションへの対応にするための形状に関する。
※クールビズファッションとは政府が推進する環境問題（地球温暖化）への対応策としたファッションである。
【背景技術】
【０００２】  従来の結んだネクタイ類は図８の部品（１）（２）（３）の３部品で構成されており、図９に示すように首周りを締め付ける形状であり、緩めての着用では「だらしない」等の容姿ゆえに正式正装を重んじる場面においては適当ではない。尚且つ着用時には部品（２）は構造上、締めこむ際の（３）紐類と共に稼動しないためにＩ「シワ」や「たるみ」などの不自然な状態となり、更に紐の仕組み、構造により着用、締めるとき、緩める脱ぐときには強い力が必要である。
【発明の概要】
【発明が解決しようとする課題】
【０００５】  しかしながら、以上の技術によれば、夏季のクールビズファッションへ深く関係するネクタイ類では、首元を締め付けることが完成形とされるので暑さ、蒸れへの対応は不完全であり、環境問題への対策がなされていない。
そこで、この発明は着脱を容易とする技術、仕様、尚且つ首元を締め付けることなく夏季でも快適な着用が可能であり、環境保護を目的としたファッションの技術・仕様を提供することを課題とする。
【課題を解決するための手段】
【０００６】  以上の課題を解決するために、第一発明は、ネクタイを構成する新たな部品センターベルトを設けたことを特徴、また、第二発明は、コネクトと紐の仕組み・形状を設けたことを特徴とするネクタイである。
【発明の効果】
【０００７】  第一発明によれば、首元の締め付けが軽減、ワイシャツ内の暑さや蒸れが軽減される、尚且つ正式正装な場面での着用に対応している。第二発明によれば着脱が容易になる。
【図面の簡単な説明】
【０００８】
【図１】この発明の一実施形態、完成品を示す斜視図である。
【図２】コネクトの形状と組立て過程コネクトと紐の斜視図である。
【図３】本体ネクタイの斜視図である。
【図４】組立て過程、コネクトとネクタイの斜視図である。
【図５】組立て過程、図４とセンターベルトの斜視図である。
【図６】コネクトの仕様に関する斜視図である。
【図７】紐の仕様に関する斜視図である。
【図８】従来技術の部品と構成を示す斜視図である。
【図９】従来技術の完成形態を示す斜視図である。
【発明を実施するための形態】
【０００９】  この発明の一実施形態を、図１、図２、図３、図４、図５、図６、図７に示す。
このネクタイの特徴、第一発明は図１に示すよう４部品で構成される形状である。
図２に示す着脱用の紐（３）を組み込んだコネクト（２）へ図３本体（１）を折り曲げる形状で、図４に示すようコネクト上部と支点に本体（１）を前後に跨ぎ大剣先（Ａ）小剣先（Ｂ）を下へ垂らし、図５に示すようセンターベルト（４）で本体（１）を包み固定する。第二発明、コネクト（２）、紐（３）については図６に示すように紐（３）が着脱の際に円滑容易に稼動する為にＣの位置へステッチにて表裏の生地の接着を（ミシン等による縫い目）を施し、紐（３）の通路を固定している。更に図７に示すように紐（３）の仕組みにより、着脱時の緩める場合では（Ｇ）の位置を下方向へ押すことでＤの紐（３）とコネクト（２）の引作用によりＥの位置で交差反転している方向の紐を引き込む作用が発生する、この現象により「着用者の首」を周回する紐の輪は大きく広がりネクタイを外すことが容易になる。着用時の締める場合では紐（３）のＨを下方向へ引くことで「着用者の首」を周回する紐の輪は「緩める場合とは逆の仕組み」で小さくなる、その際にＤの位置のコネクト（２）はＥの方向へ紐（３）に引かれ、図９のＩに示す不都合「シワやたるみ」を防ぐことが出来る。図７、Ｄではコネクト（２）と紐（３）は縫合わせている接着の状態でありＦでは紐は連結されていないので稼動できる。着脱の際Ｈは締めるときは下へ移動、緩めるときでは上へ移動するが、締めるときのみＨ付近を着用者は手で掴み下方向へ直接稼動させる、緩めるときはＧの位置を押下げるのでＨは自動的に上へ移動する。
【実施形態の効果】
【００１０】この実施形態によれば、４部品で構成された形のネクタイで襟元を開いた着用でも容姿は不自然でなく尚且つワイシャツの中は暑くさ軽減され尚且つ蒸れにくい。したがって暑い季節の正式な場面でも着用ができる。また着脱の紐がスムーズに動くので強い力も必要なくなった。紐の調製をすることで従来のネクタイと同様の着用容姿も可能である。
【符号の説明】
【００１１】（１）    ネクタイ本体（図１、３、４、５）
（２）    コネクト（図１、２、４、５、６、７）
（３）    紐（図１、２、６、７、８）
（４）    センターベルト（図１、５）
（５）    本体大剣先（図１、３、４、５）
（Ｂ）    本体小剣先（図１、３、４、５）
（Ｃ）    ミシンステッチ（図６）
（Ｄ）    コネクト開口部上部（図７）
（Ｅ）    紐の交差箇所（図７）
（Ｆ）    コネクト開口部下部（図７）
（Ｇ）    コネクト中央上部（図７）
（Ｈ）    紐結束部（図１、６、７）
（Ｉ）    コネクト詳細（図８）
【図１】
2016151082.tif 000003
【図２】
2016151082.tif 000004
【図３】
2016151082.tif 000005
【図４】
2016151082.tif 000006
【図５】
2016151082.tif 000007
【図６】
2016151082.tif 000008
【図７】
2016151082.tif 000009
【図８】
2016151082.tif 000010
【図９】
2016151082.tif 000011
(57)【要約】【課題】結んだ状態のネクタイ類の形状では、体格に合わせた全長サイズの調製が出来ないために自分に合ったサイズで着用することが困難であり、とても不便であった。【解決手段】部品（２）の中へ部品（５）を装着し本体（１）の支点を設ける。部品（４）を部品（５）へ連結組み立てることで、センターベルトの中を空洞化し本体（１）の全長サイズの為の稼動域を設ける。【選択図】図１
2016151083.tif 000002
【特許請求の範囲】
【請求項１】
専用部品５、部品４の機能を装着した全長サイズ調製機能を特徴とするネクタイ。
【発明の詳細な説明】
【技術分野】
【０００１】  この発明は、ネクタイ類の形状・機能に関する。
【背景技術】
【０００２】  クールネクタイは図８に示すように、着用時において体格に合わせたネクタイの全長調整が出来ない構造である。
【発明の概要】
【発明が解決しようとする課題】
【０００５】  しかしながら、以上の技術によれば、着用する体格に合わせたサイズ調整ができない。
そこで、この発明はサイズを調整することを可能にしたネクタイを提供することを課題とする。
【課題を解決するための手段】
【０００６】  以上の課題を解決するために、第一発明は、本体（１）が稼動できるよう専用部品（５）を設けたことを特徴とするネクタイである。
【発明の効果】
【０００７】  第一発明によれば、調整が出来ることで着用者の体格に合わせた調整が可能になり便利になる。
【図面の簡単な説明】
【０００８】
【図１】この発明の一実施形態を示す斜視図である。
【図２】発明部品（５）表側を示す斜視図である。
【図３】発明部品（５）裏側を示す斜視図である
【図４】部品（２）、（３）（５）の構造を示す斜視図である
【図５】部品（２）、（３）（５）尚且つ部品（４）の接続を示す斜視図である
【図６】本体（１）との接続を示す斜視図である
【図７】本体（１）の全長調製方法を示す斜視図である
【図８】従来技術の完成形態を示す斜視図である。
【発明を実施するための形態】
【０００９】  この発明の一実施形態を、図１、図２、図３、図４、図５、図６、図７に示す。
ネクタイ類の本体（１）は繊維であり、この本体と別途構成される部品（５）は図２に示す形状、表側であり、図３では裏側の形状を示す。素材はプラスティックであり、Ｃは部品（３）の通路用の穴であり、Ｄの穴は部品（２）を固定する働きをもち、Ｅの穴は部品（４）の固定用の穴である。次に示す図４では繊維部品（２）の内部へ部品（５）包み込む、そのとき部品（３）紐は図４に示す順路で装着する。部品（５）を包み込む繊維部品（２）は部品（５）を見えないよう包み込みＤの穴を使い固定する。図５では部品４をＥの穴を固定する、部品４は反発力のあるプラスティック素材を芯として繊維で包む。図６では本体（１）が部品（２）上部を軸に前後２方向へ分かれ（Ａ）大剣先、（Ｂ）小剣先が垂れるように組み合わせる。図６，７では部品（４）で本体（１）を巻くように固定する。
【００１０】「実施形態の効果」
この実施形態によれば、図１に示すとおり部品（５）の働きで、本体（１）、部品（２）は外観を損なわず、部品（３）の上部を軸（図７）として本体（１）はサイズ調整をするための前後稼動が可能になる。部品（４）は反発効果のある素材（プラスチック等）の効果で本体（１）を包み巻きの固定をしながらも、部品（４）の内側にできる円は空洞が保たれているので、それにより本体（１）は円滑に上下の稼動が可能となり、結果、全長サイズの調整できる。
「他の実施形態」
図１、図２、図３の実施形態では、部品（４）は反発効果素材を繊維で包むとしたが、他の形態では繊維で包なくても良い。
【符号の説明】
【００１０】（１）  ネクタイ本体          （２）  コネクト
（３）  紐                    （４）  センターベルト
（５）  部品                  （Ａ）  大剣先
（Ｂ）  小剣先                （Ｃ）  部品５の形状（穴）
（Ｄ）  部品５の形状（穴）    （Ｅ）  部品５の形状（穴）
（Ｆ）  部品５の形状（突起）  （Ｇ）  全長サイズ調製箇所
【図１】
2016151083.tif 000003
【図２】
2016151083.tif 000004
【図３】
2016151083.tif 000005
【図４】
2016151083.tif 000006
【図５】
2016151083.tif 000007
【図６】
2016151083.tif 000008
【図７】
2016151083.tif 000009
【図８】
2016151083.tif 000010
(57)【要約】      （修正有）【課題】体格に合わせた全長サイズの調製が出来るネクタイを提供する。【解決手段】ネクタイ本体が稼動できるよう、部品４の中へ部品５を装着し本体１の支点を作り、ネクタイ大剣先Ａ、小剣先Ｂを下方向へ垂らす。【選択図】図１
2016151084.tif 000002
【特許請求の範囲】
【請求項１】
専用部品４、部品５の機能を装着した全長サイズ調製機能を特徴とするネクタイ。
【発明の詳細な説明】
【技術分野】
【０００１】  この発明は、ネクタイ類の形状・機能に関する。
【背景技術】
【０００２】  結びネクタイは図７に示すように部品１、２、３で設計されているので図８に示すように、着用時において体格に合わせたネクタイの全長調整が出来ない構造である。
【発明の概要】
【発明が解決しようとする課題】
【０００５】  しかしながら、以上の技術によれば、着用する体格に合わせたサイズ調整ができない。
そこで、この発明はサイズを調整することを可能にしたネクタイを提供することを課題とする。
【課題を解決するための手段】
【０００６】  以上の課題を解決するために、第一発明は、ネクタイ本体が稼動できるよう専用部品を設けたことを特徴とするネクタイである。
【発明の効果】
【０００７】  第一発明によれば、着用者の体格に合わせた全長調整が可能になり便利になる。
【図面の簡単な説明】
【０００８】
【図１】この発明の一実施形態を示す斜視図である。
【図２】発明の専用部品の形態を示す斜視図である。
【図３】発明の専用部品と本体の組立てを示す斜視図である
【図４】発明の専用部品の構成と組立過程前期を示す斜視図である。
【図５】発明の専用部品の構成と組立過程中期を示す斜視図である。
【図６】発明の専用部品の構成と組立過程後期を示す斜視図である。
【図７】従来技術を示す斜視図である
【図８】従来技術を示す完成斜視図である
【発明を実施するための形態】
【０００９】  この発明の一実施形態を、図１、図２、図３、図４、図５、図６に示す。
ネクタイ類の本体（１）は繊維であり、この本体とは別途構成される図２部品（２）へ本体（１）を図３に示す形態で装着する、尚且つ部品２は図４に示す繊維部品（４）と装着する、装着過程では図４に示すＤとＥにある隙間へ部品４を引っ掛ける。図５では部品（２）と本体（１）を装着し部品（４）へ組み立てる過程であり、図６では完成図を示す。
【００１０】「実施形態の効果」
この実施形態によれば、部品（４）（５）の働きで、本体（１）部品（２）は外観を損なわず、図６に示す（Ｆ）の位置にて部品（５）上部を軸として本体（１）はサイズ調整をするための前後稼動域が可能になる。
「他の実施形態」
図４の実施形態では、部品（４）は繊維素材としたが他素材でも良い。
【符号の説明】
【００１０】（１）  ネクタイ本体                （２）  コネクト
（３）  着脱用ループ                （４）  ノットホルダー
（５）  調製部品                    （Ａ）  大剣先
（Ｂ）  小剣先                      （Ｃ）  小剣先
（Ｄ）  部品５（前側部品）          （Ｅ）  部品５（後側部品）
（Ｆ）  部品５上部に掛かる本体
【図１】
2016151084.tif 000003
【図２】
2016151084.tif 000004
【図３】
2016151084.tif 000005
【図４】
2016151084.tif 000006
【図５】
2016151084.tif 000007
【図６】
2016151084.tif 000008
【図７】
2016151084.tif 000009
【図８】
2016151084.tif 000010
(57)【要約】      （修正有）【課題】高圧にせず高温の熱源を供給し、燃料代を含むランニングコストが削減でき、熱源の温度制御を可能とするボイラーを提供する。【解決手段】燃料に廃棄物となる木くずを使用し、その木くずを「燃焼部」に投入し、燃やして発生した高温の煙を「熱交換部」の高圧にせず高温を可能とする熱媒体用の油が入った槽に通した管を通過させることにより、木材乾燥用の熱源を供給し、さらに熱交換部のシャッターを開け閉めすることにより、高温の煙を熱媒体用の油が入った槽を通したり通さなかったりすることにより熱源の温度制御もできるボイラー。【選択図】図１
2016057048.tif 000002
【特許請求の範囲】
【請求項１】
木くずを「燃焼部」に投入し、燃やして発生した高温の煙を「熱交換部」の熱媒体用の油（以下、熱媒体油と記す）が入った槽に通した管を通過させることにより、高温の煙の熱を熱媒体油に伝達し、加熱された熱媒体油を木材乾燥用の熱源として利用するボイラー
【請求項２】
熱交換部のシャッターを開け閉めすることにより、高温の煙を熱媒体油が入った槽を通したり通さなかったりすることにより熱媒体油の温度が制御できるボイラー
【請求項３】
熱交換油の温度を温度センサーにより把握し、あらかじめ設定した温度を維持するよう熱交換部のシャッターの開閉を自動制御するボイラー
【発明の詳細な説明】
【技術分野】
【０００１】    本発明は、木材乾燥の熱源として使用するボイラーに関するものである。
【背景技術】
【０００２】  現在木材乾燥の熱源としては、油を燃焼させて水を蒸気にかえ、その蒸気を木材乾燥の熱源として使用する油焚き蒸気ボイラーが主流となっている。【０００３】  木くず焚きボイラーとしては、水を蒸気にかえ、その蒸気を木材乾燥の熱源として使用する蒸気ボイラーと、水をお湯にかえ、お湯を木材乾燥の熱源として使用する温水ボイラーがある。
【発明の概要】
【発明が解決しようとする課題】
【０００４】  油焚き蒸気ボイラーは文字通り蒸気を熱源とするため蒸気部が高圧となり、高圧対応の機構としなければいけない。また水を使用するため水垢の付着、配管の腐食防止のため水処理装置、清缶剤の連続注入が必要となる。さらに燃料に油を使用することから、製造の部品代、稼働による燃料代を含むランニングコストが増大となる。【０００５】  燃料代を削減できる木くず焚き蒸気ボイラーは油焚き蒸気ボイラーと同様に高圧対応の機構、水垢の付着、配管の腐食防止対応が必要となる。さらにその構造上、規模が大きくなり高額設備となる。また木くず焚きの場合は一度燃やしたら、油焚きのように簡単に点火消火を繰り返すことができないため、蒸気の発生量を制御することができない。【０００６】  蒸気を使用しない木くず焚き温水ボイラーも水を使用することから水垢の付着、配管の腐食防止対応が必要となる。さらに温水は最大でも１００℃までとなるため、１２０℃で行う木材乾燥の高温処理には使用できない。また木くず焚き蒸気ボイラー同様に簡単に点火消火を繰り返すことができないため、温水の温度を制御することができない。
【課題を解決するための手段】
【０００７】  木くずを燃料にすることで油焚きボイラーで課題となった燃料代を削減できる。【０００８】  熱媒体に油を使用することで蒸気ボイラーで課題となった高圧対応の構造が不要となる。また水を熱媒体として使用しないことにより水垢の付着、配管の腐食防止対応が不要となりコスト削減ができる。さらに熱媒体油は２００℃以上も可能なため、木材乾燥の高温処理にも使用できる。【０００９】  煙道をシャッターで切替える構造にし、熱媒体油への煙の熱伝導を行ったり行わなかったりできるようにすることで、木くずの燃焼を止めることなく熱媒体油の温度を制御することができる。さらに温度センサーにより熱媒体油の温度を計ることにより自動での温度制御も可能となる。
【発明の効果】
【００１０】  燃料の木くずを「燃焼部」に投入し燃やすことで発生する高温の煙を「熱交換部」の熱媒体油が入った槽に通した管を通過させることにより、高温の煙の熱を熱媒体油に伝達し、煙は集塵部より大気に排出される。【００１１】  熱媒体油の温度を制御として、熱交換部のシャッターを開けると高温の煙は媒体油が入った槽を通らないため、熱媒体油の温度は上がらない。熱媒体油の温度を上げるときにシャッターを閉める。【００１２】  設定温度に達した熱媒体油は、循環ポンプで木材乾燥装置に供給され乾燥の熱源として使用されてから熱媒体油の槽に戻る。
【図面の簡単な説明】
【００１３】
【図１】  熱媒体油昇温時のイメージ
【図２】  熱媒体油昇温停止時のイメージ
【図３】  熱媒体油を木材乾燥の熱源として供給するイメージ
【発明を実施するための形態】
【００１４】  熱媒体用の油には沸点、引火点の高いものを使用する。
【００１５】  熱媒体油の昇温に伴う膨張に対応できるよう膨張タンクと吸排気の可能なエアベントを設置する。
【００１６】  図３の循環ポンプには熱媒体油用のポンプを使用する。
【００１７】  自動温度調整を行うには、熱媒体油に温度センサーを取り付け、図１、図２に示す煙の流れを切替えるシャッターの開閉を電動など自動制御できるようにする。
【図１】
2016057048.tif 000003
【図２】
2016057048.tif 000004
【図３】
2016057048.tif 000005
(57)【要約】      （修正有）【課題】乾燥効率を向上させるとともに設置面積を縮小する。【解決手段】木質チップを装置上部より投入し、多段になっている通気性の高いメッシュコンベアなどの搬送装置により順次下段へと搬送させ最下段より排出される間に、装置内に熱風、蒸気管、温水管などから熱を発生させ、その熱をコンベアを通過し排気することにより木質チップを乾燥させるドライヤーである。【選択図】図１
2016057047.tif 000002
【特許請求の範囲】
【請求項１】
木質チップを装置上部より投入し、多段になっている通気性の高いメッシュコンベアなどの搬送装置により順次下段へと搬送させ最下段より排出される間に、装置内に熱を供給し、その熱をコンベアを通過し排気することにより木質チップを乾燥させるドライヤー。
【請求項２】
装置への熱の供給方法として、図１（ａ）における装置下部の熱風供給口１より熱風を供給し装置上部の排気口２へと排気させるドライヤー。
【請求項３】
装置への熱の供給方法として、図１（ｂ）における装置中段の熱風供給口１１より熱風を供給し装置上部の排気口１２および装置下部の排気口１３へと排気させるドライヤー。
【請求項４】
装置への熱の供給方法として、図１（ｃ）における装置下部に蒸気管、温水管などを設置し、そこから発生する熱を装置上部の排気口２へと排気させるドライヤー。
【請求項３】
装置への熱の供給方法として、図１（ｄ）における装置中段に蒸気管、温水管などを設置し、そこから発生する熱を装置上部の排気口１２および装置下部の排気口１３へと排気させるドライヤー。
【発明の詳細な説明】
【技術分野】
【０００１】    本発明は、木質チップの乾燥装置に関するものである。
【背景技術】
【０００２】  現在木質チップの乾燥装置としては、円筒を横にし、その中に乾燥筒を配し、乾燥筒を回転させながら木質チップを搬送し、その乾燥筒に熱風を通し、その熱風により木質チップを乾燥させるロータリードライヤーが主流となっている（特許文献１参照）
【先行技術文献】
【特許文献】
【０００３】
【特許文献１】  特開２００２−２５７４７２号
【発明の概要】
【発明が解決しようとする課題】
【０００３】  しかしながら、ロータリードライヤーは横型であり、乾燥筒の木質チップ搬送距離と搬送スピードにより時間当たりの乾燥能力が決定されるため、その構造上設置幅が広くなり、導入において幅広い敷地面積が必要となる。
例えば、乾燥能力が時間当り５００ｋｇ程度のロータリードライヤーの場合、その幅は１０ｍ程度となってしまう。
また増産のため追加設備の導入を行う場合も、同様に更に幅の広い敷地が必要となり、幅の広い敷地が確保できなければ導入できない設備となっている。【０００４】  更に熱風が乾燥部上面を通過するため、乾燥の効率が悪く乾燥不十分が多かった。
【課題を解決するための手段】
【０００５】  乾燥能力が搬送距離と搬送スピードにより決まることから、装置構造を横型から縦型にし、搬送距離と搬送スピードを同じにすることにより、狭い敷地への設置が可能となる。【０００６】  そのため本発明では、乾燥能力にあった搬送距離を確保するために、短い搬送装置を上下多段に配置し、一段の搬送装置の長さと段数により決定することで、縦型構造のドラーヤーを可能とする。
例えば、１０ｍの乾燥距離を必要とするロータリードライヤーと同等の縦型を考えた場合、３ｍの搬送装置を４段組み合わせると１２ｍの乾燥距離を確保できる。
この場合、装置の幅は４ｍ程度となりロータリードライヤーの半分以下の設置幅で設置が可能となる。【０００７】  更に通気性の高いメッシュコンベア等を使用することにより、全ての木質チップに熱が通り乾燥効率が上がることにより乾燥時間の短縮につながり、乾燥能力の増大へとつながる。
また、落とし込みにより自動的に撹拌され、乾燥の均一化がはかられる。
【発明の効果】
【０００８】  乾燥用木質チップを装置上部より投入し、通気性の高いメッシュコンベア等の搬送装置により順次下段へと搬送させ、最下段へと木質チップを移動させ、乾燥用熱源を装置下部より供給し装置上部へと排気、または装置中段より供給し装置上部および装置下部へと排気させることにより、移動中の木質チップを乾燥させる縦型のドライヤーとなる。
【図面の簡単な説明】
【０００９】
【図１】  装置構造イメージと木質チップ、熱風の流れ
【図２】  増設時イメージ
【図３】  メッシュコンベアイメージ
【発明を実施するための形態】
【００１０】  乾燥装置内は、熱風を通すため３００℃以上の耐熱性部品を使用する。
【００１１】  搬送装置には、木質チップを乾燥させるための熱を通しやすい構造としなければいけないため、通気性の高いメッシュコンベア等を使用し、順次下段へと木質チップを搬送できるように配置する。
【００１２】  乾燥程度を調節できるよう、搬送装置の搬送スピードは可変できるようにする。
【００１３】  木質チップの投入口は最上段の搬送装置に投入できる位置に設け、排出口は最下段の搬送装置から排出できる位置に設ける。
【００１４】  装置下部または中段に熱風供給口または蒸気管、温水管などの熱源を設け、装置上部または上部及び下部に熱の排気口を設ける。
【００１５】  増設に対しては本装置を追加設置し、１台目の排出口から２台目の投入口へ昇降機やコンベヤーにより搬送し、乾燥用搬送スピードの調整を行う。
【図１】
2016057047.tif 000003
【図２】
2016057047.tif 000004
【図３】
2016057047.tif 000005